(57)【要約】【課題】  宝石を揺動自在としながらも、不用意に外れて紛失したりするような事態を防ぐことが可能な装飾具を提供する。【解決手段】  宝石３を装飾具本体１に対して揺動自在に取り付ける。また、上記宝石３に少なくとも１つの貫通孔３Ｄを形成する。さらに、上記貫通孔３Ｄに挿通されると共に上記装飾具本体１に連結されて上記宝石３を上記装飾具本体１に揺動可能に支持する連結部４を設ける。また、上記装飾具本体１に相互に対向する一対の壁部２Ａを形成すると共に、上記宝石３を該一対の壁部２Ａ間に取り付ける。さらに、上記貫通孔３Ｄを上記一対の壁部２Ａのそれぞれに対向する位置に一対形成し、上記壁部２Ａと上記貫通孔３Ｄとの間をそれぞれ上記連結部４により連結する。そして、上記宝石３の重心を、上記一対の連結部４同士を結ぶ仮想線Ｍよりも上記宝石３の下面部３Ｂ側に位置させる。【選択図】      図２
2007061336.tif 000002
【特許請求の範囲】
【請求項１】
宝石が装飾具本体に対して揺動自在に取り付けられた装飾具であって、
上記宝石に少なくとも１つの貫通孔が形成され、
上記貫通孔に挿通されると共に上記装飾具本体に連結されて上記宝石を上記装飾具本体に揺動可能に支持する連結部を備えることを特徴とする装飾具。
【請求項２】
上記装飾具本体に相互に対向する一対の壁部が形成されると共に、上記宝石が該一対の壁部間に取り付けられ、
上記貫通孔が、上記一対の壁部のそれぞれに対向する位置に一対形成され、
上記壁部と上記貫通孔との間が、それぞれ上記連結部により連結され、
上記宝石の重心が、上記一対の連結部同士を結ぶ仮想線よりも上記宝石の下面部側に位置していることを特徴とする請求項１に記載の装飾具。
【発明の詳細な説明】
【技術分野】
【０００１】
本発明は、宝石が取り付けられた指輪、ネックレス、ブローチ、ブレスレット等の装飾具に関するものである。
【背景技術】
【０００２】
このような装飾具として、特許文献１には、リング状の支持部材（装飾具本体）に２つの突起を設けて中央にネジで宝石枠を挟み込むように固定した指輪が提案されている。この宝石枠の上下には先の尖った突起が設けられており、これらの突起によって宝石枠をネジに点で支えることで摩擦抵抗を抑えることにより、宝石部分の正面が指の傾斜角度に関係なく重力作用で常に上部にあり、また、僅かな振動でも左右に揺れ続けるようにされている。
【特許文献１】特開２００２−１４２８１７号公報
【発明の開示】
【発明が解決しようとする課題】
【０００３】
ところで、この特許文献１に記載されたように、２つの突起に設けたネジにより宝石枠を挟み込むように固定する場合、上述のように宝石の正面が常に上部を向いて、しかも僅かな振動で宝石枠が揺れ続けるようにするには、ネジによる挟み込み力をあまり大きくすることはできない。
【０００４】
しかしながら、このネジによる挟み込み力が小さいと、不用意に宝石や宝石枠を支持部材側に押し付けたり、あるいは逆に支持部材から引っ張ったりしただけでも宝石が枠ごと支持部材から外れてしまい、場合によっては高価な宝石を紛失してしまうおそれがある。また、単に宝石枠の突起をネジで支持しただけでは、上述のように僅かな振動でも左右に揺れ続ける宝石枠を、宝石の正面が常に上部を向くようにするのは困難ともなる。
さらに、宝石枠は宝石の周囲を囲むように配されているため、宝石の一部が宝石枠により覆い隠されることになり、宝石自体が有する美しさが半減してしまう。
【０００５】
本発明は、このような背景の下になされたもので、宝石を揺動自在としながらも、不用意に外れて紛失したりするような事態を防ぐことができ、また、宝石自体の美しさを最大限に引き出すことが可能な装飾具を提供することを目的としている。
【課題を解決するための手段】
【０００６】
上記課題を解決して、このような目的を達成するために、本発明は、宝石を装飾具本体に対して揺動自在に取り付けた装飾具であって、上記宝石に少なくとも１つの貫通孔を形成し、かつ、上記貫通孔に挿通されると共に上記装飾具本体に連結されて上記宝石を上記装飾具本体に揺動可能に支持する連結部を設けたことを特徴とする。
【０００７】
また、本発明はさらに、上記装飾具本体に相互に対向する一対の壁部を形成すると共に、上記宝石を該一対の壁部間に取り付け、上記貫通孔を上記一対の壁部のそれぞれに対向する位置に一対形成し、上記壁部と上記貫通孔との間をそれぞれ上記連結部により連結し、上記宝石の重心を、上記一対の連結部同士を結ぶ仮想線よりも上記宝石の下面部側に位置させたことをも特徴とする。
【発明の効果】
【０００８】
このように構成された本発明の装飾具においては、上記連結部が宝石に形成された貫通孔に直接挿通されているため、宝石を装飾具本体から引っ張る等しても、宝石が装飾具本体から外れることを防止して、高価な宝石を不意に紛失してしまったりするのを防ぐことができる。
さらに、上記連結部が宝石の貫通孔に挿通されているため、従来のように、宝石の周囲を囲んで宝石の一部を覆い隠す宝石枠が不要となる。従って、宝石が連結部等により隠される部分を最小限に抑えて、宝石のカット全体を見ることができる、すなわち、宝石自体の美しさを最大限に引き出すことができる。
【０００９】
また、宝石が連結部により装飾具本体に対して揺動可能に支持されているため、手や指等の動きによって煌めきを放つことができ、宝石自体の美しさに加えてさらに美観を増すことができ、周りの人の目を多く惹きつけることができる。
さらに、上述のように、宝石の重心を上記仮想線よりも宝石の下面部側に位置させるようにすれば、宝石は仮想線を中心に揺動しながらも、宝石の下面部側を下向きにするようにして、装飾具本体の一対の壁部間に支持されることになる。従って、装飾具本体の姿勢に関わらず、装飾性の高い宝石の上面部が上向きとなるように、宝石を支持することができ、この宝石が揺動自在とされることとも相俟って、多くの人の目を惹きつけ得る装飾具を提供することが可能となる。
【発明を実施するための最良の形態】
【００１０】
図１ないし図３は、本発明を指輪に適用した場合の一実施形態を示すものである。すなわち、本実施形態において装飾具本体１は、指に嵌め入れられる大きさのリング状であって、その外周縁部の一部に凹部２が形成され、この凹部２の装飾具本体１の周方向を向いて互いに対向する一対の壁部２Ａ間に、宝石３が一対の連結部４によって保持されて揺動自在に取り付けられている。なお、この装飾具本体１は、特に当該装飾具が本実施形態のように指輪である場合には、プラチナや金、銀等の貴金属によって形成される。
【００１１】
上記宝石３としては各種のものが保持可能であるが、例えば、図示の宝石３はダイヤモンドであって、一般にカッティングが施された装飾性の高い概略円錐台状の上面部３Ａと、この上面部３Ａから下向きに先細りとなる概略円錐状の下面部３Ｂとを備えており、これら上面部３Ａと下面部３Ｂとの境界部３Ｃにおける外径が、当該宝石３の最大外径となる。
【００１２】
この宝石３には、上面部３Ａから下面部３Ｂに向けて貫通する一対の貫通孔３Ｄがレーザー加工によって形成されている。すなわち、一対の貫通孔３Ｄは図中に一点鎖線で示した宝石３の中心線Ｏに平行な方向に貫通するように形成されている。
また、これら一対の貫通孔３Ｄは、上記中心線Ｏを挟み込む位置に形成されている、すなわち、一対の貫通孔３Ｄを結ぶ仮想線Ｍが上記中心線Ｏに直交するようになっている。なお、上記仮想線Ｍは、宝石３の重心よりも上面部３Ａ側に位置している。
【００１３】
各連結部４は、小径の略円環状に形成されており、それぞれ宝石３の貫通孔３Ｄに挿通されている。この挿通状態において、一対の連結部４は、その一部が宝石３の外周側に突出するように上記仮想線Ｍ上に並べて配されている。また、この挿通状態において、各連結部４は、上記仮想線Ｍ及び中心線Ｏに直交する方向に開口するように配されている。
これら連結部４は、装飾具本体１と同様の貴金属、より望ましくは傷のつき難いハードプラチナによって形成されている。
【００１４】
一方、装飾具本体１の上記一対の壁部２Ａには、上記一対の連結部４を各々連結する被連結部２Ｂが設けられている。これら被連結部２Ｂは、小径の円環状に形成されており、各壁部２Ａの突端部にレーザーろう付けによって接合、もしくは、一体形成されている。これにより、一対の被連結部２Ｂが、凹部２の内側に突き出すようにそれぞれ配設されることになる。
この被連結部２Ｂは、上記中心線Ｏに平行な方向に開口するように配されており、上記各連結部４と互いの円環同士を僅かに緩く組み合わせて鎖状をなすように連結されている。これにより、宝石３は、その上面部３Ａが装飾具本体１の外側に向けられた状態で、凹部２内において両端の連結部４から吊り下げられるようにして、概ね上記仮想線Ｍの周りに揺動可能に装飾具本体１に支持されることになる。
【００１５】
このように構成された実施形態の装飾具（指輪）においては、上記連結部４が宝石３に形成された貫通孔３Ｄに直接挿通されているため、宝石３を装飾具本体１から引っ張る等しても、宝石３が装飾具本体１から外れることを防止して、高価な宝石３を不意に紛失してしまったりするのを防ぐことができる。
さらに、上記連結部４が宝石３の貫通孔３Ｄに挿通されているため、従来のように、宝石３の周囲を囲んで宝石３の一部を覆い隠す宝石枠が不要となる。従って、宝石３が連結部４等により隠される部分を最小限に抑えて、宝石３のカット全体を見ることができる、すなわち、宝石３自体の美しさを最大限に引き出すことができる。
【００１６】
また、上記宝石３が一対の連結部４によって装飾具本体１に揺動自在に取り付けられているため、宝石３が手や指の動きによって揺動しつつ煌めきを放つことになる。従って、宝石３自体が有する美しさに加えてさらに美観を増すことができ、周りの人の目を多く惹きつけることができる。
特に本実施形態では、宝石３の重心が揺動の中心となる上記仮想線Ｍよりも宝石３の下面部３Ｂ側に位置しているので、装飾具本体１を凹部２が上向きになるようにした状態では、宝石３の上面部３Ａ側が確実に上向きとなるように支持されることになる。従って、このような状態では、上述のように装飾性の高い上面部３Ａを常に人目を惹く上側にしたまま宝石３を揺動させることができるので、一層効果的に周囲の注目を集めることが可能となる。
【００１７】
なお、本実施形態では、宝石３の貫通孔３Ｄがレーザー加工により形成されるとしたが、これに限ることはなく、例えば、切削加工により形成されるとしても構わない。また、宝石３の貫通孔３Ｄは、上記中心線Ｏに平行な方向に貫通して形成されるとしたが、これに限ることはなく、例えば、上記中心線Ｏに直交する平面に沿って形成されるとしても構わない。
この構成の場合、貫通孔３Ｄに挿通された連結部４は、上記中心線Ｏに平行な方向に開口するように配されることになる。従って、この構成においては、一対の壁部２Ａに設ける被連結部２Ｂを、上記仮想線Ｍ及び中心線Ｏに直交する方向に開口するように配することが好ましい。
【００１８】
また、連結部４は、略円環状に形成されるとしたが、これに限ることはなく、少なくとも宝石３の貫通孔３Ｄ及び被連結部２Ｂに挿通するように形成されていればよい。すなわち、連結部４は、例えば、Ｓ字状のフックに形成されるとしても構わないし、複数の円環状の物体を鎖状に連結したものから構成されるとしてもよい。
【００１９】
さらに、上記貫通孔３Ｄ及びこれに挿通する連結部４は一対形成されるとしたが、これに限ることはなく、例えば、１つだけ形成されるとしてもよいし、３つ以上形成されるとしても構わない。従って、貫通孔３Ｄは、例えば、仮想線Ｍを中心として相互に対称な位置に複数形成され、これら複数の貫通孔３Ｄに各々連結部４が挿通されるとしても構わない。
また、本実施形態では本発明を指輪に適用した場合について説明したが、ネックレスやブローチ、ブレスレットなど、他の種の装飾具にも本発明を適用することは勿論可能である。
【図面の簡単な説明】
【００２０】
【図１】本発明を指輪に適用した場合の一実施形態を示す側面図である。
【図２】図１に示す実施形態における凹部２周辺の拡大側面図である。
【図３】図１に示す実施形態における宝石３と壁部２Ａ側の被連結部２Ｂの拡大平面図である。
【符号の説明】
【００２１】
１  装飾具本体
２  凹部
２Ａ  凹部２の壁部
２Ｂ  被連結部
３  宝石
３Ａ  宝石３の上面部
３Ｂ  宝石３の下面部
３Ｄ  貫通孔
４  連結部
Ｏ  宝石３の中心線
Ｍ  一対の連結部４同士を結ぶ仮想線
【図１】
2007061336.tif 000003
【図２】
2007061336.tif 000004
【図３】
2007061336.tif 000005